(57)【要約】      （修正有）【課題】複数ページの画像に対する画像処理の良否を目視確認する作業者の負担を低減する。【解決手段】複数ページの画像データの各ページの画像の配置を予め定められた適正配置に近づけるように補正する画像処理装置に、各ページにおける画像処理部による補正の度合いを示す情報をディスプレイによって一覧表示させる。補正には、傾き補正、天地反転、左右反転、上下反転、余白調整が含まれる。ページごとに画像の色を異ならせ且つ上側のページの背景部分を通して下側のページの画像が現れるように重ね合わせて表示される。【選択図】図５
2010226213.tif 000002
【特許請求の範囲】
【請求項１】
複数ページの画像データに対する画像処理をする方法であって、
前記画像データの各ページの画像の配置を予め定められた適正配置に近づけるように補正し、
前記画像データの複数のページについて、各ページにおける画像処理部による補正の度合いを示す情報をディスプレイによって一覧表示する
ことを特徴とする画像処理方法。
【請求項２】
前記度合いの大きさの順に前記情報およびページを表わすアイコンを並べて一覧表示する
請求項１記載の画像処理方法。
【請求項３】
設定値よりも大きい度合いを示す情報およびそれに対応したアイコンを、他の度合いを示す情報の色および他のアイコンの色と異なる色で表示する
請求項２記載の画像処理方法。
【請求項４】
前記情報およびアイコンを一覧表示する状態の前記ディスプレイに、選択された２つ以上のページをページごとに画像の色を異ならせ且つ上側のページの背景部分を通して下側のページの画像が現れるように重ね合わせて表示させる
請求項１または請求項２記載の画像処理方法。
【請求項５】
複数ページの画像データに対して画像処理をする画像処理装置が有するコンピュータのためのコンピュータプログラムであって、
前記コンピュータを、
前記画像データの各ページの画像の配置を予め定められた適正配置に近づけるように補正する画像処理部と、
前記画像データの複数のページについて、各ページにおける前記画像処理部による補正の度合いを示す情報を度合いの大きさの順に並べてディスプレイに一覧表示させる表示制御部として機能させる
ことを特徴とするコンピュータプログラム。
【請求項６】
複数ページの画像データに対して画像処理をする画像処理装置が有するコンピュータのためのコンピュータプログラムであって、
前記表示制御部に、前記情報を一覧表示させる際に、設定値よりも大きい度合いを示す情報およびそれに対応したページを表わすアイコンを、他の度合いを示す情報の色および他のページを表わすアイコンの色と異なる色で表示させる
請求項５記載コンピュータプログラム。
【請求項７】
さらに前記表示制御部に、選択された２つ以上のページをページごとに画像の色を異ならせ且つ上側のページの背景部分を通して下側のページの画像が現れるように重ね合わせて表示させる表示制御部として機能させる
請求項６記載コンピュータプログラム。
【請求項８】
複数ページの画像データに対して画像処理をする画像処理装置であって、
前記画像データの各ページの画像の配置を予め定められた適正配置に近づけるように補正する画像処理部と、
任意の画像の表示が可能なディスプレイと、
前記画像データの複数のページについて、各ページにおける画像処理部による補正の度合いを示す情報を前記ディスプレイに一覧表示させる表示制御部と、を備える
ことを特徴とする画像処理装置。
【請求項９】
原稿から画像を読み取るスキャナと前記スキャナにデータ通信が可能に接続される画像処理装置とを備える画像処理システムであって、
前記画像処理装置は、
前記スキャナから取り込んだ複数ページの画像データの各ページの画像の配置を予め定められた適正配置に近づけるように補正する画像処理部と、
任意の画像の表示が可能なディスプレイと、
前記画像データの複数のページについて、各ページにおける画像処理部による補正の度合いを示す情報を前記ディスプレイに一覧表示させる表示制御部と、を備える
ことを特徴とする画像処理システム。
【発明の詳細な説明】
【技術分野】
【０００１】
本発明は、画像処理のための方法、装置およびコンピュータプログラムに関する。
【背景技術】
【０００２】
スキャナから画像をコンピュータに取り込むソフトウェアの多くが、画像の傾きを補正する画像処理機能を有している。自動原稿搬送装置（ＡＤＦ）を備えたスキャナによって複数枚の原稿が連続して読み取られる場合、原稿枚数に対応するページ数の画像が１つのファイルにまとめられてコンピュータに取り込まれる。ソフトウェアは、コンピュータへのファイルの入力またはその後のユーザによる指示操作に呼応して、ページごとに画像の傾きを求めて各ページの画像を補正する。
【０００３】
自動の補正の結果が必ずしもユーザの期待に沿うとは限らない。例えば、傾き補正をする必要がないページであっても、ページ内の図柄が斜めの輪郭をもつといった原因で誤って補正されたり補正に過不足が生じたりする場合があり得る。このことから、傾きを補正するソフトウェアは、補正後の画像をディスプレイ上に表示するように構成されている。
【０００４】
通常、補正後の画像の表示は１ページずつ順に行われる。最初に先頭ページが表示され、ユーザが所定の指示操作を行うと、表示されるページが切り替わる。ユーザは、表示された１ページの画像を見て補正の良否を確認することができる。
【０００５】
傾き補正が適正でないとユーザが判断したページに対して再補正が行われる。再補正に際しては、例えばユーザが指定した文書要素（文字列、罫線、絵図、写真など）に基づいて画像の傾き角が決定される。特許文献１には、ユーザによる文書要素の指定の便宜を図るため、文書要素の近傍に当該文書要素の傾き角の算出の信頼度を示す数値を表示する画像処理装置が開示されている。
【０００６】
一方、複数ページの画像の表示に関して、各ページの背景部分を透明にして複数のページを重ねて表示する手法が知られている。例えば、特許文献２および３には、プリントした用紙をステープルで綴じたりパンチ穴をあけたりする仕上げ機能を有した画像形成装置の操作パネルにおいて、上記手法を適用して仕上げのプレビュー表示をすることが記載されている。画像形成装置のユーザは、プレビュー表示を見ることによって、例えばステープルで綴じるのに必要な余白の無いページが複数のページの中に有るかどうかを確認することができる。
【先行技術文献】
【特許文献】
【０００７】
【特許文献１】特開２００５−１４９１１４号公報
【特許文献２】特開２００７−１８５９４３号公報
【特許文献３】特開２００７−１１０６７６号公報
【発明の概要】
【発明が解決しようとする課題】
【０００８】
複数ページの画像に対する画像処理の結果を表示する従来の形態には次の問題がある。
【０００９】
傾き補正または他の画像処理が行われた画像を１ページずつ順に表示する上述の表示形態では、作業者は全てのページを見て良好でないページの有無を確かめなければならない。このため、ページ数が多いほど大きな負担が作業者にかかる。複数ページずつまたは全ページを一斉に表示するようにすれば、表示を切り替える手間は軽減されるものの、表示される各ページの画像が小さくなるので、確認がしづらくなる。
【００１０】
背景部分を透明にして複数のページを重ねて表示する表示形態では、画像処理が適正でないページがあったとしても、そのページが何番目のページかを作業者が簡単に特定することができない。また、ページ数が多くなるにつれて、表示内容が複雑になって各ページの識別が困難になる。
【００１１】
本発明は、このような事情に鑑み、複数ページの画像に対する画像処理の良否を目視確認する作業者の負担を低減することを目的としている。
【課題を解決するための手段】
【００１２】
上記目的を達成する方法は、複数ページの画像データに対して画像処理をする方法であって、前記画像データの各ページの画像の配置を予め定められた適正配置に近づけるように補正し、前記画像データの複数のページについて、各ページにおける画像処理部による補正の度合いを示す情報をディスプレイによって一覧表示する。画像の配置を予め定められた適正配置に近づける補正には、傾き補正、天地反転、左右反転、および上下左右の余白調整などが含まれる。
【００１３】
好ましい態様において、画像処理方法は、前記情報およびアイコンを一覧表示する状態の前記ディスプレイに、前記ページ選択部が選択した２つ以上のページをページごとに画像の色を異ならせ且つ上側のページの背景部分を通して下側のページの画像が現れるように重ね合わせて表示させる。
【発明の効果】
【００１４】
本発明によれば、複数ページの画像に対する画像処理の良否を目視確認する作業者の負担を低減することができる。
【図面の簡単な説明】
【００１５】
【図１】本発明の実施形態に係る画像処理システムの構成の一例を示す図である。
【図２】画像処理装置の機能構成を示す図である。
【図３】画像処理装置の動作を示すフローチャートである。
【図４】傾き補正の実行が指示される以前の操作入力画面の表示例を示す図である。
【図５】傾き補正の実行指示に呼応する処理を終えた段階の操作入力画面の表示例を示す図である。
【図６】図５の例に対応した複数のページの画像の配置を模式的に示す図である。
【図７】複数のページに対するページ指定状態と重ね合わせの順序との関係を示す図である。
【図８】傾き補正に対する判断の結果をユーザが入力するための操作方法の一例を示す図である。
【図９】一部のページの傾き補正に対するユーザによる判断の結果が入力された段階の操作入力画面の表示例を示す図である。
【図１０】図９の例に対応した複数のページの画像の配置を模式的に示す図である。
【図１１】画像処理装置として機能するパーソナルコンピュータのハードウェア構成を示す図である。
【図１２】スキャナを有する複合機のハードウェア構成を示す図である。
【発明を実施するための形態】
【００１６】
図１に例示する画像処理システム１は、企業またはそれに類する組織に設けられたＬＡＮ(Local Area Network)の一部である。ＬＡＮは、複数のパーソナルコンピュータ２，３およびＭＦＰ（Multifunction Peripherals）と呼ばれる複合機４を有し、複合機４を介して公衆回線７と繋がりかつルータ６を介してインターネット８と繋がっている。パーソナルコンピュータ２，３および複合機４はスイッチングハブ５を介して相互に通信することができる。このＬＡＮのうち、パーソナルコンピュータ２および複合機４が画像処理システム１に含まれる。
【００１７】
パーソナルコンピュータ２は、アプリケーションソフトウェアである画像処理プログラムを実行することにより画像処理装置として機能する。プログラムはパーソナルコンピュータ２に備わる補助記憶装置にインストールされてもされなくてもよい。インストールされない場合は、リームーバブルメディアから読み出されまたは通信回線を介してサーバからダウンロードされたプログラムが実行される。以下では「パーソナルコンピュータ２」を「画像処理装置２」という。
【００１８】
複合機４は用紙から画像を読み取るスキャナを備える。スキャナは画像処理の対象となる画像データを出力する。複合機４は、スキャナにより得られた画像データだけでなく、ファクシミリ通信で受信した画像データおよびボックスと呼ばれる文書蓄積用メモリから読み出した画像データを画像処理装置２へ送ることができる。
【００１９】
画像処理装置２は、複合機４、ＬＡＮ内の他の機器またはＷｅｂサイトから取り込んだ複数ページの画像データに対して、各ページの画像の傾きを補正する画像処理（以下、傾き補正という）を行う。傾き補正は、"画像の配置を予め定められた適正配置に近づける補正"の一種である。傾き補正における適正配置とは、例えば横書き文書における文字列の延びる方向とページの左右方向とのずれが無いか僅かである配置のように、観察者に文字や図柄が傾いていないと認識される配置である。傾き補正に際しては、ページの左右または上下方向に対する画像の傾きの角度が算出される。その後、傾きを打ち消すように画像の回転が行われる。
【００２０】
図２のように画像処理装置２は、データ入力部２０１、画像処理部２０２、表示制御部２０３、ページ選択部２０４および操作入力部２０５を有する。これら要素は画像処理プログラムとそれを実行するコンピュータとしてのＣＰＵ（Central Processing Unit）とで実現される機能要素である。画像処理装置２はさらにディスプレイ２７、キーボード２８およびポインティングデバイスとしてのマウス２９を有する。
【００２１】
画像処理装置２においては、データ入力部２０１が取得した単一または複数のページをもつ画像データに対して、画像処理部２０２によって傾き補正が行われる。そして、補正後のページの画像が表示制御部２０３によってディスプレイ２７の画面上に表示される。ページ数が多数である場合には、全てのページの画像が一斉に表示されるのではなく、ページ選択部２０４の選択した所定数（例えば３）のページの画像が表示される。画像の表示とともに、複数ページのそれぞれにおける傾き補正の度合い（角度）を示す数値がユーザによる判断のための情報として一覧表示される。
【００２２】
データ入力部２０１が取得する画像データの入手先はユーザによって指定され、操作入力部２０５を介してデータ入力部２０１に伝えられる。入手先の指定に応じてデータ入力部２０１は、複合機４、他の外部装置、または画像処理装置２を構成するパーソナルコンピュータに備わるストレージから画像データを取り込む。以降の説明では、典型的と考えられる複合機４のスキャナから画像データを取り込む状況を例として想定する。ただし、ファクシミリ通信で受信した画像が傾いていたり、傾いてコピーされたままの文書が蓄積されていたりすることもあるので、傾き補正を必要とする画像データはスキャナから送られるものに限られない。
【００２３】
図２とともに図３のフローチャートを参照して画像処理装置２の動作をさらに詳しく説明する。
【００２４】
画像処理部２０２には図３におけるステップ＃１１〜＃１３の処理が対応する。画像処理部２０２は、１ファイルの画像データの全ページを対象として、ページごとに傾き補正角度を計算して傾き補正角度だけページ内の画像を一体的に回転させる。傾き補正角度の計算には一般的な手法を用いることができる。例えば、画素の配列の直線近似によって文字列や図柄に外接する矩形を定め、矩形の辺とページの外郭との傾き角度を求める。ページごとに複数の矩形を定めて、矩形ごとに求めた傾き角度の平均値をページの傾き角度とする。傾き角度と大きさが等しく向きが反対の角度が傾き補正角度である。なお、ランレングス符号化された画像データから傾きを検知する手法（例えば特開２００５−１０８８６号公報）を用いてもよい。
【００２５】
ページ選択部２０４には図３におけるステップ＃１４〜＃１７の処理が対応する。ページ選択部２０４は、画像処理部２０２から全ページ分の傾き補正角度データを取得し、全ページにおける傾き補正角度の平均値および各ページにおける傾き補正角度と平均値との差分を計算する。さらに、ページ選択部２０４は、差分（厳密にはその絶対値）が大きい順（降順）にページをソートし、最も差分の大きいものから順に２以上に定められたｎ個（本例では３個）のページを表示対象として選択する。１ファイルの画像データのページ数がｎより少ない場合は、全てのページが選択される。
【００２６】
表示制御部２０３には図３におけるステップ＃１８〜＃２０の処理が対応する。表示制御部２０３は、傾き補正の度合いを示す情報としての上記差分を、ページ選択部２０４によってソートされた順に並べて一覧表示する。ここでの「表示する」とは「ディスプレイ２７に与える表示用の画面を生成する」という意味である（以下、同様）。一覧表示に際して、各差分には、どのページに対応するかを示すために、ページの番号を付したアイコンが対応付けられる。また、表示制御部２０３は、ページ選択部２０４によって選択された複数のページのアイコンを、選択されなかったページのアイコンと見分けがつくものとし、かつ差分の大きい順に例えば「黒」「青」「赤」というように色分ける。さらに、表示制御部２０３は、ページ選択部２０４によって選択された複数のページの傾き補正後の画像を、上側のページの背景部分を通して下側のページの画像が現れるように重ね合わせて表示する。すなわち、背景部分に透明性をもたせてページを重ねた積層の上から見える状態を表示する。以下、このような表示の形態を「透過合成表示」と呼称し、表示される画像を透過合成画像と呼称する。透過合成表示は、表示画面の仮想描画に際して各画素値として上側のレイヤの画素値を選択する公知の画像データ処理により実現することができる。表示を見るユーザに画像とページ番号との関係を示すためにページごとに画像の色が変えられ、各画像の色は当該画像を有したページのアイコンの色と同じ色とされる。
【００２７】
このように差分の一覧および補正の度合いの大きいページの画像を表示した後、画像処理装置２はユーザの指示を待つ（＃２１）。ユーザは、必要に応じて他のページの補正後の画像を表示させることができる。さらなる確認が不要と判断すれば、ユーザは確認のための表示の終了を指示する。操作に応じて画像処理装置２は表示を変更する（＃２２）。
【００２８】
以下、ディスプレイ２７により表示される操作画面を例示する。
【００２９】
データ入力部２０１が画像データを取り込むと、図４に示す操作入力画面Ｑ１が表示される。操作入力画面Ｑ１は、操作のためのメニューやツールを表示するエリアおよびステータスを表示するエリアを有するとともに、ファイル構成を示す階層ツリーを表示するツリー表示エリア７１と、ページの画像を表示するモニタ表示エリア７２とを有する。図示において、ツリー表示エリア７１は、ページ数を示す文字を付した１５個のアイコン群８１を有した「Ｃｈａｐｔｅｒ１」という章の名前のページ数１５のファイルの階層ツリーを表示している。アイコン群８１においてページ数の文字を囲む四角は、該当するページが選択されていることを表わす。例示では先頭ページ（Ｐａｇｅ１）が選択されている。この選択されたページの補正前（取り込んだ状態）の画像９１がモニタ表示エリア７２に表示される。ユーザは他のページを指定して画像を表示させることができる。それには例えば図示しないマウスポイントをツリー表示エリア７１に移動させて所望のアイコンを選択する操作をすればよい。
【００３０】
操作入力画面Ｑ１において、ユーザがツールアイコン７０１をクリックすると、傾き補正が行われる。補正を開始させる操作として、メニューバー内のアイコン７０２をマウスクリックまたはキー入力により指定し、それにより表示されるプルダウンメニューから傾き補正を選択してもよい。傾き補正が行われると、操作入力画面Ｑ１に代わって図５に示す操作入力画面Ｑ２が表示される。
【００３１】
図５において、操作入力画面Ｑ２のツリー表示エリア７１には、上述したページ選択部２０４によってソートされた順序で並ぶアイコン群８１ｂと、各ページの補正の度合いを示す上述の差分の一群８２とが表示される。アイコン群８１ｂが色分けされており、差分の最も大きいページのアイコン８１１は黒色とされ、差分が２番目に大きいページのアイコン８１２は青とされ、差分が３番目に大きいページのアイコン８１３は赤色とされ、他のページのアイコンは灰色とされている。差分は対応するページのアイコンの右側に隣接配置され、それによってページと対応付けられている。
【００３２】
操作入力画面Ｑ２のモニタ表示エリア７２には、ページ選択部２０４によって差分の大きい順に選択された３ページ（ページ１４，３，７）の傾き補正後の画像を上述のように重ね合わせた透過合成画像９２が表示される。図には表されていないが、実際には透過合成画像９２はページごとに色分けされる。各ページの画像の色は、ツリー表示エリア７１内の対応するページのアイコン８１１，８１２，８１３の色と同色である。
【００３３】
透過合成画像９２は、図６に模式的に示す画像Ｇｐ１４，Ｇｐ３，Ｇｐ７を一括に表わす。これら画像Ｇｐ１４，Ｇｐ３，Ｇｐ７は、画像Ｆｐ１４，Ｆｐ３，Ｆｐ７に対する傾き補正の結果である。例示では、補正後の画像Ｇｐ１４，Ｇｐ３，Ｇｐ７において画像は傾いておらず、傾き補正が正しく行われている。
【００３４】
図５に戻って、差分が一覧表示されることにより、ユーザは全ページについて傾き補正の度合いを把握することができ、度合いが異常に大きかったり補正の向きが他と違ったりする特異なページの有無を素早く判断することができる。そして、度合いの大きいページの透過合成画像９２が表示されることにより、ユーザは度合いの大きい補正が正しい補正であるのか誤った補正であるのかを確認することができる。さらに、透過合成画像９２およびアイコン群８１ｂの色分けにより、ユーザは透過合成画像９２において傾いているページ（補正が正しくないページ）を見つけたときに、そのページのページ番号を何の操作をすることなく画像と同じ色のアイコンを見ることにより知ることができる。
【００３５】
透過合成画像９２において、ユーザはページの上下関係を変更させることができる。デフォルトの上下関係では、図７（Ａ）および（Ｂ）のように差分の最も大きいページが最も上に配置され、差分の小さいほど下側に配置される。図７（Ｃ）および（Ｄ）のように、透過合成画像９２に係わる３ページの中の最も差分の大きいページ以外が指定されると、指定されたページが最も上に配置され、他の２つのページが差分の大きい順に上から下へと配置される。図７（Ａ）および（Ｃ）のツリー表示では、画像の重ね合わせにおける最も上のページのページ番号が強調表示される。
【００３６】
透過合成画像９２に係わる自動選択された３ページ以外のページが指定された場合は、指定されたページの傾き補正後の画像がモニタ表示領域７２に表示される。このとき、指定ページが複数であれば、指定された複数のページの画像が重ね合わせて表示される。
【００３７】
ユーザは表示を見てさらなる確認の要否を判断し、判断の結果に応じて指示を画像処理装置２に与える。さらなる確認が不要と判断したとき、ユーザは画像処理装置２としての動作を終了させる。例えば、画像データをテキストデータに変換させるＯＣＲ処理プログラムを起動させたり、画像データを保存させたりする操作は自動傾き補正の終了操作に相当する。一方、さらなる確認が不要と判断したとき、ユーザはモニタ表示領域７２に表示されるページに対して確認をしたことを入力する。
【００３８】
図８は確認の入力操作の一例を示す。ユーザがツリー表示エリアでマウスによりページを選択して例えば右クリックをすると、コンテキストメニュー７５がポップアップ表示される。ユーザは選択ページの傾き補正に問題がないと判断したときは文字列７５５をクリックして当該ページに対して「補正確認済」の設定をし、傾き補正に問題があると判断したときは文字列７５６をクリックして「再補正要」の設定をする。また、誤って傾き補正された場合の設定としてコンテキストメニューに例えば「補正取り止め」のような設定を設けてもよい。
【００３９】
「補正確認済」の設定がなされたページは、モニタ表示領域７２での透過合成画像の表示の対象外とされる。図９に例示される操作入力画面Ｑ３が表示される状態では、差分の大きい上位６個のページが対象外とされており、７位から９位のページの透過合成画像９３がモニタ表示エリア７２に表示されている。ツリー表示エリア７１におけるアイコン群８１ｃおよび差分の一群８２ｃに付された下線は、「補正確認済」の設定がなされたページであることを表わしている。画像の表示される３ページのうち、差分の最も大きいページのアイコン８１４は黒色とされ、差分が２番目に大きいページのアイコン８１５は青とされ、差分が３番目に大きいページのアイコン８１６は赤色とされ、他のページのアイコンは灰色とされている。そして、透過合成画像９３はページごとに色分けされる。各ページの画像の色は、ツリー表示エリア７１内の対応するページのアイコン８１４，８１５，８１６の色と同色である。
【００４０】
図９の透過合成画像９３は、図１０に模式的に示す画像Ｇｐ１５，Ｇｐ２，Ｇｐ５を一括に表わす。これら画像Ｇｐ１５，Ｇｐ２，Ｇｐ５は、画像Ｆｐ１５，Ｆｐ２，Ｆｐ５に対する傾き補正の結果である。例示では、ページ１５およびページ５については傾き補正が正しく行われている。しかし、ページ２に対しては傾き補正が正しく行われていない。補正前の画像Ｆｐ２では画像が傾いていないのに、補正後の画像Ｇｐ２では画像が傾いている。
【００４１】
ユーザは、傾き補正のやり直しが必要と判断したページについては、例えば図８に示したコンテキストメニュー７５において「再補正要」の設定をする。そして、全てのページの確認を終えた後または確認の途中で再補正を指示する。そうすると、傾き補正の度合いの入力をユーザに求める図示しない操作入力画面が表示される。ここでいう度合いの入力は、傾き補正角度の数値入力であっても、傾きを検出するために注目する画像要素の指定であってもよい。
【００４２】
以上の画像処理装置２は、図１１に示す一般的なパーソナルコンピュータのハードウェア構成によって実現することができる。パーソナルコンピュータは、各種プログラムを実行するＣＰＵ２１、制御プログラムを記憶するＲＯＭ２２、プログラム実行のワークエリアとして用いられるＲＡＭ２３、およびストレージとしてのハードディスクドライブ２４を有する。ＣＤ−ＲＯＭやＤＶＤにアクセスするためのリムーバブルメディアドライブ２５およびネットワーク接続のための通信インタフェース２６もパーソナルコンピュータの構成要素である。また、パーソナルコンピュータは、ヒューマンインタフェースデバイスとしてのディスプレイ２７、キーボード２８およびマウス２９を含む。
【００４３】
画像処理システム１における複合機４は図１２に示すハードウェア構成を有する。複合機４は、操作パネル４０、イメージスキャナ４１、プリンタ４２、用紙ストッカ４３、電源回路４４、制御回路４５、画像処理回路４６、ファクシミリ通信モデム４７、外部接続インタフェース４８およびストレージ４９を備える。操作パネル４０にはＬＣＤ(Liquid Crystal Display)４０１が配置されている。イメージスキャナ４１はカラー原稿の読取りが可能である。プリンタ４３は、両面プリントのためのユニットを備えており、多段形式の用紙ストッカ４３から供給される用紙の片面または両面にモノクロまたはカラーの画像をプリントする。電源回路４４は複合機４の随所に必要とされる電力を供給する。制御回路４５は、制御プログラムを記憶するＲＯＭ４５１、制御プログラムを実行するＣＰＵ４５２、およびプログラム実行のワークエリアとして用いられるＲＡＭ４５３を有する。画像処理回路４６はコピーやプリントにおけるビットマップ展開を含む種々の処理を担う。ファクシミリ通信モデム４７は公衆回線７による通信に用いられる。外部接続インタフェース４８はＬＡＮケーブルとの接続に用いられる。ストレージ４９はハードディスクドライブのような大容量記憶デバイスである。ストレージ４９には、複合機４の制御に係わるデータを記憶するメモリ領域とともに、各種ドキュメントのファイルを保存するメモリ領域であるいわゆるボックスが設けられる。
【００４４】
以上の実施形態によれば、補正後の画像だけでなく、各ページの補正の度合いが確認のための情報としてユーザに提示される。ユーザは、一覧表示される補正の度合いから複数ページの画像データに対する処理の傾向や特異ページの有無を判断することができる。例えば、傾き補正において全体的に１度右に傾いているとか、あるページのみにおいて補正の回転角度が大きいとかいう状況を把握することができる。
【００４５】
補正の度合いの大きいページのアイコンと他のアイコンとは色分けして表示されるので、自動補正が正しく行われなかった確率の大きいページを素早く特定することができる。また、透過表示により複数ページの画像を同時に確認することができる
補正の度合いの大きい順にアイコンがソートされて表示されるので、自動補正が正しく行われなかった確率の大きいページから順に確認することができる。また、任意の時点で確認作業を終了することができる。すなわち、上位のページから確認していき、透過表示される画像を見て下位のページとのズレ量が小さくなり、ズレが認められなくなった時点で確認を終えればよい。このことは作業時間の短縮に貢献する。
【００４６】
ユーザ自身が任意のページを複数選択して透過表示させることで、特定のページを基準として他のページの補正の良否を判断することができる。
【００４７】
上述の実施形態において、ページ選択部２０４が透過表示の対象として自動選択するページの数は３に限らず、２または４以上であってもよい。ただし、透過合成画像においてページの識別が困難にならない程度の数にするのがよい。アイコンおよび透過合成画像における色分けの色は設計事項であり、例示に限らない。ツリー表示エリア７１に一覧表示されるページの最大数は、エリアサイズに依存する。画像データのページ数が一覧表示可能な数を超える場合には、最大限の数のページについて一覧表示されるとともに垂直スクロールバーが表示される。ユーザは適宜に表示をスクロールさせてページ総数を把握することができる。
【００４８】
画像処理システム１の構成の変形として、スキャナとパーソナルコンピュータとがケーブルで直接に接続されたシステムがある。画像処理装置２を実現する画像処理プログラムを複合機４に組み入れ、複合機４の操作パネル４０においてユーザが補正結果の確認をするようにしてもよい。
【００４９】
画像処理として傾き補正を例に挙げたが、透過合成表示によって複数ページについての結果を端的にかつ一斉に表わすことのできる他の画像処理を行う装置やシステムに本発明を適用することができる。他の画像処理として、画像の配置を予め定められた適正配置に近づける天地反転、左右反転、および上下左右の余白調整がある。天地反転および左右反転の適正配置は上下また左右の反転した配置であり、余白調整の適正配置は指定された寸法の余白をもつ配置である。
【符号の説明】
【００５０】
１    画像処理システム
２    画像処理装置
２０２    画像処理部
２０３    表示制御部
２０４    ページ選択部
２０５    操作入力部
２７    ディスプレイ
８１，８１ｂ、８１ｃ    アイコン群
８１１〜８１３    アイコン
８１４〜８１６    アイコン
差分の一群    ８２，８２ｃ
２９    マウス（ポインティングデバイス）
４  複合機（スキャナ）
【図１】
2010226213.tif 000003
【図２】
2010226213.tif 000004
【図３】
2010226213.tif 000005
【図４】
2010226213.tif 000006
【図５】
2010226213.tif 000007
【図６】
2010226213.tif 000008
【図７】
2010226213.tif 000009
【図８】
2010226213.tif 000010
【図９】
2010226213.tif 000011
【図１０】
2010226213.tif 000012
【図１１】
2010226213.tif 000013
【図１２】
2010226213.tif 000014